【手続補正書】
【提出日】平成17年12月2日(2005.12.2)
【手続補正１】
【補正対象書類名】明細書
【補正対象項目名】特許請求の範囲
【補正方法】変更
【補正の内容】
【特許請求の範囲】
【請求項１】
（Ａ）有機ポリマー基材、
（Ｂ）（ｉ）少なくとも１種の低分子量の立体障害性アルコキシアミン安定剤
（ｉｉ）少なくとも１種の高分子量の立体障害性アルコキシアミン安定剤及び
（ｉｉｉ）有機ハロゲン難燃剤、リン原子含有難燃剤及びメラミンに基づいた難燃剤からなる群より選択された少なくとも１種の慣用の難燃剤
の相乗混合物の有効難燃化量
を含む難燃性組成物。
【請求項２】
前記成分（ｉ）及び（ｉｉ）の安定剤は、式
【化１】
2005511842.tif 000001
［式中、
Ｇ1及びＧ2は、独立して炭素原子数１ないし８のアルキル基を表すか、又は一緒にペンタメチレン基を表し、
Ｚ1及びＺ2は、各々メチル基を表すか、又はＺ1及びＺ2が一緒に、エステル基、エーテル基、アミド基、アミノ基、カルボキシ基又はウレタン基によりさらに置換されていてもよい架橋部分を形成し、及び
Ｅは、オキシル基、ヒドロキシル基、アルコキシ基、シクロアルコキシ基、アラルコキシ（ａｒａｌｋｏｘｙ）基、アリールオキシ基、−Ｏ−ＣＯ−ＯＺ3、−Ｏ−Ｓｉ（Ｚ4）3、−Ｏ−ＰＯ（ＯＺ5）2又は−Ｏ−ＣＨ2−ＯＺ6（式中、Ｚ3、Ｚ4、Ｚ5及びＺ6は、水
素原子、脂肪族、芳香脂肪族及び芳香族部分からなる群より選択される。）を表すか；又はＥは−Ｏ−Ｔ−（ＯＨ）bを表し、
Ｔは、直鎖状の又は枝分れ鎖状の炭素原子数１ないし１８のアルキレン基、炭素原子数５ないし１８のシクロアルキレン基、炭素原子数５ないし１８のシクロアルケニレン基、フェニル基により又は１個又は２個の炭素原子数１ないし４のアルキル基により置換されたフェニル基により置換された直鎖状の又は枝分れ鎖状の炭素原子数１ないし４のアルキレン基を表し；及び
ｂは１、２又は３であるが、但しｂはＴの炭素原子数を超えることが出来ず、及びｂが２又は３である場合、各々のヒドロキシル基はＴの異なる炭素原子に結合されている。］で表されるものである請求項１記載の組成物。
【請求項３】
前記成分（ｉ）及び（ｉｉ）の安定剤は、式ＡないしＲ
【化２】
2005511842.tif 000002
【化３】
2005511842.tif 000003
【化４】
2005511842.tif 000004
【化５】
2005511842.tif 000005
【化６】
2005511842.tif 000006
【化７】
2005511842.tif 000007
【化８】
2005511842.tif 000008
【化９】
2005511842.tif 000009
【化１０】
2005511842.tif 000010
【化１１】
2005511842.tif 000011
【化１２】
2005511842.tif 000012
【化１３】
2005511842.tif 000013
【化１４】
2005511842.tif 000014
【化１５】
2005511842.tif 000015
【化１６】
2005511842.tif 000016
【化１７】
2005511842.tif 000017
【化１８】
2005511842.tif 000018
【化１９】
2005511842.tif 000019
［式中、
Ｅは、オキシル基、ヒドロキシル基、炭素原子数１ないし１８のアルコキシ基、炭素原子数５ないし１２のシクロアルコキシ基又は炭素原子数７ないし１５のアラルコキシ基を表すか、又はＥは−Ｏ−Ｔ−（ＯＨ）bを表し、
Ｔは、直鎖状の又は枝分れ鎖状の炭素原子数１ないし１８のアルキレン基、炭素原子数５ないし１８のシクロアルキレン基、炭素原子数５ないし１８のシクロアルケニレン基、フェニル基により又は１個又は２個の炭素原子数１ないし４のアルキル基により置換されたフェニル基により置換された直鎖状の又は枝分れ鎖状の炭素原子数１ないし４のアルキレン基を表し；
ｂは１、２又は３であるが、但しｂはＴの炭素原子数を超えることが出来ず、及びｂが２又は３である場合、各々のヒドロキシル基はＴの異なる炭素原子に結合されており；
Ｒは水素原子又はメチル基を表し、
ｍは１ないし４であり、
ｍが１である場合、
Ｒ2は水素原子、炭素原子数１ないし１８のアルキル基又は１個又はそれ以上の酸素原
子により所望により中断された前記アルキル基、炭素原子数２ないし１２のアルケニル基、炭素原子数６ないし１０のアリール基、炭素原子数７ないし１８のアラルキル基、グリシジル基、脂肪族、脂環式又は芳香族カルボン酸、或いはカルバミン酸の１価アシル基、
例えば炭素原子数２ないし１８の脂肪族カルボン酸の、炭素原子数５ないし１２の脂環式カルボン酸の又は炭素原子数７ないし１５の芳香族カルボン酸のアシル基、或いは
【化２０】
2005511842.tif 000020
（式中、ｘは０又は１である。）、
【化２１】
2005511842.tif 000021
（式中、ｙは２ないし４である。）
を表し；
ｍが２である場合、
Ｒ2は、炭素原子数１ないし１２のアルキレン基、炭素原子数４ないし１２のアルケニ
レン基、キシリレン基、脂肪族、脂環式、芳香脂肪族又は芳香族ジカルボン酸の又はジカルバミン酸の２価アシル基、例えば、炭素原子数２ないし１８の脂肪族ジカルボン酸の、炭素原子数８ないし１４の脂環式又は芳香族ジカルボン酸の、又は炭素原子数８ないし１４の脂肪族、脂環式又は芳香族ジカルバミン酸のアシル基；
【化２２】
2005511842.tif 000022
又は
【化２３】
2005511842.tif 000023
【化２４】
2005511842.tif 000024
（式中、Ｄ1及びＤ2は独立して水素原子、炭素原子数８までのアルキル基、３，５−ジ−第三ブチル−４−ヒドロキシベンジル基を含むアリール基又はアラルキル基を表し、Ｄ3
は水素原子、又は炭素原子数１８までのアルキル基又はアルケニル基を表し、及びｄは０ないし２０である。）を表し；
ｍが３である場合、Ｒ2は、脂肪族、不飽和脂肪族、脂環式、又は芳香族トリカルボン
酸の３価アシル基を表し；
ｍが４である場合、Ｒ2は、１，２，３，４−ブタンテトラカルボン酸、１，２，３，
４−ブテ−２−エン−テトラカルボン酸、及び１，２，３，５−及び１，２，４，５−ペンタンテトラカルボン酸を含む飽和又は不飽和脂肪族又は芳香族テトラカルボン酸の４価アシル基を表し；
ｐは１、２又は３であり、
Ｒ3は、水素原子、炭素原子数１ないし１２のアルキル基、炭素原子数５ないし７のシ
クロアルキル基、炭素原子数７ないし９のアラルキル基、炭素原子数２ないし１８のアルカノイル基、炭素原子数３ないし５のアルケノイル基又はベンゾイル基を表し；
ｐが１である場合、
Ｒ4は、水素原子、未置換の又はシアノ基、カルボニル基又はカルバミド基により置換
された炭素原子数１ないし１８のアルキル基、炭素原子数５ないし７のシクロアルキル基、炭素原子数２ないし８のアルケニル基を表すか、又はそれはグリシジル基、式−ＣＨ2
−ＣＨ（ＯＨ）−Ｚ又は式−ＣＯ−Ｚ又は−ＣＯＮＨ−Ｚ（式中、Ｚは水素原子、メチル基又はフェニル基を表す。）で表される基を表すか；又は式
【化２５】
2005511842.tif 000025
又は
【化２６】
2005511842.tif 000026
（式中、ｈは０又は１である。）を表し、
ｐが１である場合、Ｒ3及びＲ4は一緒に、炭素原子数４ないし６のアルキレン基又は２−オキソ−ポリアルキレン基、脂肪族又は芳香族１，２−又は１，３−ジカルボン酸の環状アシル基を表し得、
ｐが２である場合、
Ｒ4は、直接結合又は炭素原子数１ないし１２のアルキレン基、炭素原子数６ないし１
２のアリーレン基、キシリレン基、−ＣＨ2ＣＨ（ＯＨ）−ＣＨ2基又は基−ＣＨ2ＣＨ（
ＯＨ）−ＣＨ2−Ｏ−Ｘ−Ｏ−ＣＨ2−ＣＨ（ＯＨ）−ＣＨ2−（式中、Ｘは炭素原子数２
ないし１０のアルキレン基、炭素原子数６ないし１５のアリーレン基又は炭素原子数６ないし１２のシクロアルキレン基を表す。）を表すか；又は、Ｒ3がアルカノイル基、アル
ケノイル基又はベンゾイル基でない場合、Ｒ4はまた、脂肪族、脂環式又は芳香族ジカル
ボン酸又はジカルバミン酸の２価アシル基を表し得、又は基−ＣＯ−を表し得るか；又は
Ｒ4は、
【化２７】
2005511842.tif 000027
（式中、Ｔ8及びＴ9は独立して、水素原子、炭素原子数１ないし１８のアルキル基を表すか、又はＴ8及びＴ9は一緒に、炭素原子数４ないし６のアルキレン基又は３−オキサペンタメチレン基、例えばＴ8及びＴ9は一緒に３−オキサペンタメチレン基を表し；
ｐが３である場合、
Ｒ4は２，４，６−トリアジニル基を表し、
ｎは１又は２であり、
ｎが１である場合、
Ｒ5及びＲ’5は独立して、炭素原子数１ないし１２のアルキル基、炭素原子数２ないし１２のアルケニル基、炭素原子数７ないし１２のアラルキル基を表すか、又はＲ5はまた
、水素原子を表すか、又はＲ5及びＲ’5は一緒に、炭素原子数２ないし８のアルキレン基又はヒドロキシアルキレン基又は炭素原子数４ないし２２のアシルオキシアルキレン基を表し；
ｎが２である場合、
Ｒ5及びＲ’5は一緒に（−ＣＨ2）2Ｃ（ＣＨ2−）2を表し；
Ｒ6は水素原子、炭素原子数１ないし１２のアルキル基、アリル基、ベンジル基、グリ
シジル基又は炭素原子数２ないし６のアルコキシアルキル基を表し；
ｎが１である場合、
Ｒ7は、水素原子、炭素原子数１ないし１２のアルキル基、炭素原子数３ないし５のア
ルケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、式−（ＣＨ2）t−ＣＯＯ−Ｑ又は式−（ＣＨ2）t−Ｏ−ＣＯ−Ｑ（式中、ｔは１又は２であり、Ｑは炭素原子数１ないし４のアルキル基又はフェニル基を表す。）で表される基を表し；又は
ｎが２である場合、
Ｒ7は、炭素原子数２ないし１２のアルキレン基、炭素原子数６ないし１２のアリーレ
ン基、基−ＣＨ2ＣＨ（ＯＨ）−ＣＨ2−Ｏ−Ｘ−Ｏ−ＣＨ2−ＣＨ（ＯＨ）−ＣＨ2−（式中、Ｘは炭素原子数２ないし１０のアルキレン基、炭素原子数６ないし１５のアリーレン基又は炭素原子数６ないし１２のシクロアルキレン基を表す。）、又は基−ＣＨ2ＣＨ（
ＯＺ’）ＣＨ2−（ＯＣＨ2−ＣＨ（ＯＺ’）ＣＨ2）2−（式中、Ｚ’は水素原子、炭素原子数１ないし１８のアルキル基、アリル基、ベンジル基、炭素原子数２ないし１２のアルカノイル基又はベンゾイル基を表す。）を表し；
Ｑ1は−Ｎ（Ｒ8）−又は−Ｏ−を表し；Ｅ7は、炭素原子数１ないし３のアルキレン基
、基−ＣＨ2−ＣＨ（Ｒ9）−Ｏ−（式中、Ｒ9は水素原子、メチル基又はフェニル基を表
す。）、基−（ＣＨ2）3−ＮＨ−又は直接結合を表し；
Ｒ10は水素原子又は炭素原子数１ないし１８のアルキル基を表し、Ｒ8は水素原子、炭
素原子数１ないし１８のアルキル基、炭素原子数５ないし７のシクロアルキル基、炭素原子数７ないし１２のアラルキル基、シアノエチル基、炭素原子数６ないし１０のアリール基、基−ＣＨ2−ＣＨ（Ｒ9）−ＯＨ（式中、Ｒ9は上記で定義された意味を有する。）；
式
【化２８】
2005511842.tif 000028
で表される基又は式
【化２９】
2005511842.tif 000029
（式中、Ｇ4は炭素原子数２ないし６のアルキレン基又は炭素原子数６ないし１２のアリ
ーレン基を表す。）
で表される基を表すか；又はＲ8は基−Ｅ7−ＣＯ−ＮＨ−ＣＨ2−ＯＲ10を表し；
式Ｆは、式中、Ｔ3がエチレン基又は１，２−プロピレン基、アルキルアクリレート又
はメタクリレートとのα−オレフィンコポリマー；例えばエチレンとエチルアクリレートのコポリマーから誘導された繰り返し構造単位を表し、及び式中のｋが２ないし１００を表すところのポリマーの繰り返し構造単位を示し；
Ｔ4は、ｐが１又は２である場合のＲ4と同じ意味を有し、
Ｔ5はメチル基を表し、
Ｔ6はメチル基又はエチル基を表し、又はＴ5及びＴ6は一緒にテトラメチレン基又はペ
ンタメチレン基を表し、例えばＴ5及びＴ6は各々メチル基を表し、
Ｍ及びＹは独立してメチレン基又はカルボニル基を表し、及びｎが２である場合にＴ4
はエチレン基を表し；
Ｔ7はＲ7と同じを表し、及びｎが２である場合にＴ7は例えばオクタメチレン基を表し
、
Ｔ10及びＴ11は独立して炭素原子数２ないし１２のアルキレン基を表し、又はＴ11は
【化３０】
2005511842.tif 000030
を表し、
Ｔ12はピペラジニル基、−ＮＲ11−（ＣＨ2）d−ＮＲ11−又は
【化３１】
2005511842.tif 000031
（式中、Ｒ11はＲ3と同じであるか、或いはまた
【化３２】
2005511842.tif 000032
を表す。）
を表し、
ａ、ｂ及びｃは独立して２又は３であり、及びｆは０又は１であり、例えばａ及びｃは各々３であり、ｂは２であり、及びｆは１であり；及び
ｅは２、３又は４であり、例えば４であり；
Ｔ13はＲ2と同じであるが、但し、ｎが１である場合にはＴ13は水素原子ではあり得ず
；
Ｅ1及びＥ2は異なっており、各々は−ＣＯ−又は−Ｎ（Ｅ5）−（式中、Ｅ5は水素原子、炭素原子数１ないし１２のアルキル基又は炭素原子数４ないし２２のアルコキシカルボニルアルキル基を表す。）を表し、例えばＥ1は−ＣＯ−を表し及びＥ2は−Ｎ（Ｅ5）−
を表し、
Ｅ3は、水素原子、炭素原子数１ないし３０のアルキル基、フェニル基、ナフチル基、
塩素原子により又は炭素原子数１ないし４のアルキル基により置換された前記フェニル基又は前記ナフチル基、或いは炭素原子数７ないし１２のフェニルアルキル基、若しくは炭素原子数１ないし４のアルキル基により置換された前記フェニルアルキル基を表し、
Ｅ4は、水素原子、炭素原子数１ないし３０のアルキル基、フェニル基、ナフチル基又
は炭素原子数７ないし１２のフェニルアルキル基を表し、又は
Ｅ3及びＥ4は一緒に炭素原子数４ないし１７のポリメチレン基、又は炭素原子数１ないし４のアルキル基４個までにより、例えばメチル基により置換された前記ポリメチレン基を表し、
Ｅ6は脂肪族又は芳香族４価基を表し、
式（Ｎ）のＲ2は、ｍが１である場合に前述で定義されており；
Ｇ1は、直接結合、炭素原子数１ないし１２のアルキレン基、フェニレン基又は−ＮＨ
−Ｇ’−ＮＨ（式中、Ｇ’は炭素原子数１ないし１２のアルキレン基を表す。）を表す。］
にしたがうものであるか；又は
前記障害性アミン化合物は、式Ｉ、ＩＩ、ＩＩＩ、ＩＶ、Ｖ、ＶＩ、ＶＩＩ、ＶＩＩＩ、ＩＸ、Ｘ又はＸＩ
【化３３】
2005511842.tif 000033
【化３４】
2005511842.tif 000034
【化３５】
2005511842.tif 000035
【化３６】
2005511842.tif 000036
【化３７】
2005511842.tif 000037
【化３８】
2005511842.tif 000038
【化３９】
2005511842.tif 000039
【化４０】
2005511842.tif 000040
【化４１】
2005511842.tif 000041
【化４２】
2005511842.tif 000042
【化４３】
2005511842.tif 000043
［式中、
Ｅ1、Ｅ2、Ｅ3及びＥ4は独立して炭素原子数１ないし４のアルキル基を表し、又はＥ1
及びＥ2は独立して炭素原子数１ないし４のアルキル基を表し、及びＥ3及びＥ4は一緒に
なってペンタメチレン基を表し、又はＥ1及びＥ2；及びＥ3及びＥ4は各々一緒になってペンタメチレン基を表し、
Ｒ1は、炭素原子数１ないし１８のアルキル基、炭素原子数５ないし１２のシクロアル
キル基、炭素原子数７ないし１２の二環式又は三環式の炭化水素基、炭素原子数７ないし１５のフェニルアルキル基、炭素原子数６ないし１０のアリール基又は炭素原子数１ないし８のアルキル基１ないし３個により置換された前記アリール基を表し、
Ｒ2は、水素原子又は炭素原子数１ないし１２の直鎖状の又は枝分れ鎖状のアルキル基
を表し、
Ｒ3は炭素原子数１ないし８のアルキレン基を表すか、又はＲ3は−ＣＯ−、−ＣＯ−Ｒ4−、−ＣＯＮＲ2−、又は−ＣＯ−ＮＲ2−Ｒ4−を表し、
Ｒ4は炭素原子数１ないし８のアルキレン基を表し、
Ｒ5は、水素原子、炭素原子数１ないし１２の直鎖状の又は枝分れ鎖状のアルキル基、
又は
【化４４】
2005511842.tif 000044
を表し、又はＲ4がエチレン基である場合、トリアジン架橋基−Ｎ（Ｒ5）−Ｒ4−Ｎ（Ｒ5）−はピペラジン−１，４−ジイル部分を表すように、２つのＲ5メチル置換基は直接結
合により結合され得、
Ｒ6は炭素原子数２ないし８のアルキレン基を表すか又はＲ6は
【化４５】
2005511842.tif 000045
を表すが、但し、Ｒ6が上述のように表される場合にはＹは−ＯＨを表さず、
Ａは−Ｏ−又は−ＮＲ7（式中、Ｒ7は水素原子、炭素原子数１ないし１２の直鎖状の又は枝分れ鎖状のアルキル基を表すか、又はＲ7は
【化４６】
2005511842.tif 000046
を表す。）
を表し、
Ｔは、フェノキシ基、炭素原子数１ないし４のアルキル基１個又は２個により置換されたフェノキシ基、炭素原子数１ないし８のアルコキシ基又は−Ｎ（Ｒ2）2を表すが、但しＲ2は水素原子ではなく、又はＴは
【化４７】
2005511842.tif 000047
を表し、
Ｘは、−ＮＨ2、−ＮＣＯ、−ＯＨ、−Ｏ−グリシジル基、又は−ＮＨＮＨ2を表し、及び
Ｙは、−ＯＨ、−ＮＨ2、−ＮＨＲ2（式中、Ｒ2は水素原子を表さない。）を表すか；
又はＹは、−ＮＣＯ、−ＣＯＯＨ、オキシラニル（ｏｘｉｒａｎｙｌ）基、−Ｏ−グリシジル基、又は−Ｓｉ（ＯＲ2）3を表すか；又は組合せＲ3−Ｙは、−ＣＨ2ＣＨ（ＯＨ）Ｒ2（式中、Ｒ2はアルキル基又は１ないし４個の酸素原子により中断された前記アルキル基を表す。）を表すか、又はＲ3−Ｙは−ＣＨ2ＯＲ2を表す。］
で表される化合物であるか；又は
前記障害性アミン化合物は、
Ｎ，Ｎ’，Ｎ”’−トリス｛２，４−ビス［（１−ヒドロカルビルオキシ−２，２，６，６−テトラメチルピペリジニ−４−イル）アルキルアミノ］−ｓ−トリアジニ−６−イル｝−３，３’−エチレンジイミノジプロピルアミン；Ｎ，Ｎ’，Ｎ”−トリス｛２，４−ビス［（１−ヒドロカルビルオキシ−２，２，６，６−テトラメチルピペリジニ−４−イル）アルキルアミノ］−ｓ−トリアジニ−６−イル｝−３，３’−エチレンジイミノジプロピルアミン、及び式Ｉ、ＩＩ、ＩＩＡ及びＩＩＩ
Ｒ1ＮＨ−ＣＨ2ＣＨ2ＣＨ2ＮＲ2ＣＨ2ＣＨ2ＮＲ3ＣＨ2ＣＨ2ＣＨ2ＮＨＲ4    （Ｉ）
Ｔ−Ｅ1−Ｔ1                                                          （ＩＩ）
Ｔ−Ｅ1                                                            （ＩＩＡ）
Ｇ−Ｅ1−Ｇ1−Ｅ1−Ｇ2                                              （ＩＩＩ）
（式Ｉで表されるテトラアミンにおいて、
Ｒ1及びＲ2はｓ−トリアジン部分Ｅを表し；及びＲ3及びＲ4のうちの１つはｓ−トリアジン部分Ｅを表し、Ｒ3又はＲ4の他方は水素原子を表し、
Ｅは
【化４８】
2005511842.tif 000048
を表し、
Ｒはメチル基、プロピル基、シクロヘキシル基又はオクチル基、例えばシクロヘキシル基を表し、
Ｒ5は炭素原子数１ないし１２のアルキル基、例えばｎ−ブチル基を表し、
式ＩＩ又はＩＩＡで表される化合物において、Ｒがプロピル基、シクロヘキシル基又はオクチル基である場合、
Ｔ及びＴ1は各々、式Ｉで定義されたとおりのＲ1ないしＲ4により置換されたテトラア
ミンを表し、ここで、
（１）各々のテトラアミン中のｓ−トリアジン部分のうちの１つは、２つのテトラアミンＴ及びＴ1の間の架橋を形成する基Ｅ1により置換されており、
Ｅ1は
【化４９】
2005511842.tif 000049
を表し、又は
（２）テトラアミンのＥ部分の２つが、１個のＥ1基により置換されている式ＩＩＡと
同様に、基Ｅ1は同じテトラアミンＴの両端基を有し得、又は
（３）テトラアミンＴの３個のｓ−トリアジン置換基のすべてが、１個のＥ1はＴとＴ1を結合し、及び第二のＥ1はテトラアミンＴの両端基を有するように、Ｅ1であり得、
Ｌはプロパンジイル基、シクロヘキサンジイル基又はオクタンジイル基を表し；
式ＩＩＩで表される化合物において、
ＧとＧ1の間の架橋及びＧ1とＧ2の間の第二の架橋が存在するように、Ｇ及びＧ2は各々、Ｅ1により置換されたｓ−トリアジン部分Ｅの１つを有し、及びＧ1はＥ1により置換さ
れたトリアジン部分Ｅの２つを有することを除き、Ｇ、Ｇ1及びＧ2は各々、式Ｉで定義されたとおりのＲ1ないしＲ4により置換されたテトラアミンを表す。）
により記載されるとおりの架橋された誘導体の混合物であり、
該混合物は、２，４−ビス［（１−ヒドロカルビル−オキシ−２，２，６，６−ピペリジニ−４−イル）ブチルアミノ］−６−クロロ−ｓ−トリアジンの２ないし４当量とＮ，Ｎ’−ビス（３−アミノプロピル）エチレンジアミンの１当量を反応させることにより調製され；
又は前記障害性アミンは、式ＩＩＩｂ
【化５０】
2005511842.tif 000050
［式中、
記号ｎは１ないし１５の範囲内であり；
Ｒ12は、炭素原子数２ないし１２のアルキレン基、炭素原子数４ないし１２のアルケニレン基、炭素原子数５ないし７のシクロアルキレン基、炭素原子数５ないし７のシクロアルキレン−ジ（炭素原子数１ないし４のアルキレン）基、炭素原子数１ないし４のアルキ
レンジ（炭素原子数５ないし７のシクロアルキレン）基、フェニレンジ（炭素原子数１ないし４のアルキレン）基を表すか、又は１，４−ピペラジンジイル基、−Ｏ−又は＞Ｎ−Ｘ1（式中、Ｘ1は、炭素原子数１ないし１２のアシル基又は（炭素原子数１ないし１２のアルコキシ）カルボニル基を表すか又は水素原子を除き以下に与えられるＲ14の定義の１つを有する。）により中断された炭素原子数４ないし１２のアルキレン基を表すか；又は
Ｒ12は、式（Ｉｂ’）又は（Ｉｃ’）
【化５１】
2005511842.tif 000051
（式中、
ｍは２又は３であり、
Ｘ2は、炭素原子数１ないし１８のアルキル基、未置換の又は１、２又は３個の炭素原
子数１ないし４のアルキル基により置換された炭素原子数５ないし１２のシクロアルキル基；未置換の又は１、２又は３個の炭素原子数１ないし４のアルキル基又は炭素原子数１ないし４のアルコキシ基により置換されたフェニル基；未置換の又は１、２又は３個の炭素原子数１ないし４のアルキル基によりフェニル基上で置換された炭素原子数７ないし９のフェニルアルキル基を表し；及び
基Ｘ3は互いに独立して、炭素原子数２ないし１２のアルキレン基を表す。）
を表し；
同一であるか又は異なったＲ13、Ｒ14及びＲ13は、水素原子、炭素原子数１ないし１８のアルキル基、未置換の又は１、２又は３個の炭素原子数１ないし４のアルキル基により置換された炭素原子数５ないし１２のシクロアルキル基；炭素原子数３ないし１８のアルケニル基、未置換の又は１、２又は３個の炭素原子数１ないし４のアルキル基又は炭素原子数１ないし４のアルコキシ基により置換されたフェニル基；未置換の又は１、２又は３個の炭素原子数１ないし４のアルキル基によりフェニル基上で置換された炭素原子数７ないし９のフェニルアルキル基；テトラヒドロフルフリル基を表すか、又は−ＯＨ、炭素原子数１ないし８のアルコキシ基、ジ（炭素原子数１ないし４のアルキル）アミノ基又は式（Ｉｅ’）
【化５２】
2005511842.tif 000052
（式中、Ｙは−Ｏ−、−ＣＨ2−、−ＣＨ2ＣＨ2−又は＞Ｎ−ＣＨ3を表す。）
で表される基により２、３又は４位において置換された炭素原子数２ないし４のアルキル
基を表し；
又は−Ｎ（Ｒ14）（Ｒ15）は式（Ｉｅ’）で表される基を付加的に表し、
基Ａは、互いに独立して−ＯＲ13、−Ｎ（Ｒ14）（Ｒ15）又は式（ＩＩＩｄ）
【化５３】
2005511842.tif 000053
で表される基を表し、
Ｘは、−Ｏ−又は＞Ｎ−Ｒ16を表し；
Ｒ16は、水素原子、炭素原子数１ないし１８のアルキル基、炭素原子数３ないし１８のアルケニル基、未置換の又は１、２又は３個の炭素原子数１ないし４のアルキル基により置換された炭素原子数５ないし１２のシクロアルキル基；未置換の又は１、２又は３個の炭素原子数１ないし４のアルキル基によりフェニル基上で置換された炭素原子数７ないし９のフェニルアルキル基；テトラヒドロフルフリル基、式（ＩＩＩｆ）
【化５４】
2005511842.tif 000054
で表される基を表すか又は−ＯＨ、炭素原子数１ないし８のアルコキシ基、ジ（炭素原子数１ないし４のアルキル）アミノ基又は式（Ｉｅ’）で表される基により２、３又は４位において置換された炭素原子数２ないし４のアルキル基を表す。）
を表し、
Ｒ11は、Ｒ16で与えられた定義の１つを有し；並びに、
基Ｂは、互いに独立してＡで与えられた定義の１つを有する。］
で表される化合物を表す請求項２記載の組成物。
【請求項４】
前記成分（ｉ）の安定剤は、
１−シクロヘキシルオキシ−２，２，６，６−テトラメチル−４−オクタデシルアミノピペリジン；
ビス（１−オクチルオキシ−２，２，６，６−テトラメチルピペリジニ−４−イル）セバケート；
２，４−ビス［（１−シクロヘキシルオキシ−２，２，６，６−テトラメチルピペリジニ−４−イル）ブチルアミノ］−６−（２−ヒドロキシエチルアミノ−ｓ−トリアジン；
ビス（１−シクロヘキシルオキシ−２，２，６，６−テトラメチルピペリジニ−４−イル）アジペート；
２，４−ビス［（１−シクロヘキシルオキシ−２，２，６，６−ピペリジニ−４−イル）ブチルアミノ］−６−クロロ−ｓ−トリアジン；
１−（２−ヒドロキシ−２−メチルプロポキシ）−４−ヒドロキシ−２，２，６，６−テトラメチルピペリジン；
１−（２−ヒドロキシ−２−メチルプロポキシ）−４−オキソ−２，２，６，６−テトラメチルピペリジン；
１−（２−ヒドロキシ−２−メチルプロポキシ）−４−オクタデカノイルオキシ−２，２，６，６−テトラメチルピペリジン；
ビス（１−（２−ヒドロキシ−２−メチルプロポキシ）−２，２，６，６−テトラメチルピペリジニ−４−イル）セバケート；
ビス（１−（２−ヒドロキシ−２−メチルプロポキシ）−２，２，６，６−テトラメチルピペリジニ−４−イル）アジペート；及び
２，４−ビス｛Ｎ−［１−（２−ヒドロキシ−２−メチルプロポキシ）−２，２，６，６−テトラメチルピペリジニ−４−イル］−Ｎ−ブチルアミノ｝−６−（２−ヒドロキシエチルアミノ）−ｓ−トリアジン
からなる群より選択され；
及び
成分（ｉｉ）の安定剤は、
２，４−ビス［（１−シクロヘキシルオキシ−２，２，６，６−ピペリジニ−４−イル）ブチルアミノ］−６−クロロ−ｓ−トリアジンとＮ，Ｎ’−ビス（３−アミノプロピル）エチレンジアミン）の反応生成物及び
式
【化５５】
2005511842.tif 000055
（式中、ｎは１ないし１５である。）
で表される化合物からなる群より選択され、且つ、前記成分（ｉ）の安定剤は２００ないし１０００ｇ／ｍｏｌの範囲の分子量を有し、及び前記成分（ｉｉ）の安定剤は１２００ないし１００００ｇ／ｍｏｌの範囲の分子量を有する、請求項１記載の組成物。
【請求項５】
前記成分（ｉｉｉ）の難燃剤は、
シクロアルキルホスフェートエステル、
ポリ臭素化ジフェニルオキシド、
デカブロモジフェニルオキシド、
トリス［３−ブロモ−２，２−ビス（ブロモメチル）プロピル］ホスフェート、
ビスフェノールＡのビス（２，３−ジブロモプロピルエーテル）、
臭素化エポキシ樹脂、
エチレン−ビス（テトラブロモフタルイミド）、
ビス（ヘキサクロロシクロペンタジエノ）シクロオクタン、
塩素化パラフィン、
１，２−ビス（トリブロモフェノキシ）エタン、
テトラブロモ−ビスフェノールＡ、
エチレンビス−（ジブロモ−ノルボルナンジカルボキシイミド）、
ビス−（ヘキサクロロシクロペンタジエノ）シクロオクタン、
トリス−（２，３−ジブロモプロピル）−イソシアヌレート、及び
エチレン−ビス−テトラブロモフタルイミド
テトラフェニルレゾルシノールジホスフィット、
トリフェニルホスフェート、
アンモニウムポリホスフェート、
レゾルシノールジホスフェートオリゴマー、
メラミンホスフェート、
メラミンピロホスフェート及び
エチレンジアミンジホスフェート
からなる群より選択される請求項１記載の組成物。
【請求項６】
有機ポリマー基材に光安定性及び難燃性を与える方法であって、前記方法は、
（ｉ）少なくとも１種の低分子量の立体障害性アルコキシアミン安定剤
（ｉｉ）少なくとも１種の高分子量の立体障害性アルコキシアミン安定剤及び
（ｉｉｉ）有機ハロゲン難燃剤、リン原子含有難燃剤及びメラミンに基づいた難燃剤からなる群より選択される少なくとも１種の慣用の難燃剤
を前記ポリマー基材に添加することを含む方法。